(57)【特許請求の範囲】
【請求項１】
種類の異なる素材が一の当該種類について一又は複数含まれると共に前記各素材間の相関関係を示す相関情報と予め設定された情報量を有する単位情報により構成されている放送情報を記録媒体に記録する情報記録装置において、
前記相関情報に基づいて、前記単位情報と前記素材との関係を識別するための識別情報と各前記素材の種類を示す種類情報とを含む、前記素材が属する素材群を示す素材群情報を生成する生成手段と、
前記生成された素材群情報を、前記放送情報と共に前記記録媒体に記録する記録手段と、
を備えることを特徴とする情報記録装置。
【請求項２】
請求項１に記載の情報記録装置において、
前記放送情報はＢＳデジタル放送により放送されている放送情報であると共に、
前記相関情報は当該ＢＳデジタル放送により放送される記述子であることを特徴とする情報記録装置。
【請求項３】
請求項１又は２に記載の情報記録装置により、前記素材群情報が前記放送情報と共に記録された前記記録媒体から当該放送情報を再生する情報再生装置において、
前記放送情報の再生に先立って、再生すべき素材を選択するための選択手段と、
前記選択された素材が属する前記素材群に対応する前記素材群情報の内容を表示するための表示信号を生成する生成手段と、
を備えることを特徴とする情報再生装置。
【請求項４】
種類の異なる素材が一の当該種類について一又は複数含まれると共に前記各素材間の相関関係を示す相関情報と予め設定された情報量を有する単位情報により構成されている放送情報を記録媒体に記録する情報記録方法において、
前記相関情報に基づいて、前記単位情報と前記素材との関係を識別するための識別情報と各前記素材の種類を示す種類情報とを含む、前記素材が属する素材群を示す素材群情報を生成する生成工程と、
前記生成された素材群情報を、前記放送情報と共に前記記録媒体に記録する記録工程と、
を備えることを特徴とする情報記録方法。
【請求項５】
請求項４に記載の情報記録方法において、
前記放送情報はＢＳデジタル放送により放送されている放送情報であると共に、
前記相関情報は当該ＢＳデジタル放送により放送される記述子であることを特徴とする情報記録方法。
【請求項６】
請求項４又は５に記載の情報記録方法により前記素材群情報が前記放送情報と共に記録された前記記録媒体から当該放送情報を再生する情報再生方法において、
前記放送情報の再生に先立って、再生すべき素材を選択するための選択工程と、
前記選択された素材が属する前記素材群に対応する前記素材群情報の内容を表示するための表示信号を生成する生成工程と、
を備えることを特徴とする情報再生方法。
【請求項７】
種類の異なる素材が一の当該種類について一又は複数含まれると共に前記各素材間の相関関係を示す相関情報と予め設定された情報量を有する単位情報により構成されている放送情報を記録媒体に記録する情報記録装置に含まれるコンピュータを、
前記相関情報に基づいて、前記単位情報と前記素材との関係を識別するための識別情報と各前記素材の種類を示す種類情報とを含む、前記素材が属する素材群を示す素材群情報を生成する生成手段、及び、
前記生成された素材群情報を、前記放送情報と共に前記記録媒体に記録する記録手段、
として機能させることを特徴とする情報記録用プログラム。
【請求項８】
請求項７に記載の情報記録用プログラムにおいて、
前記放送情報はＢＳデジタル放送により放送されている放送情報であると共に、
前記相関情報は当該ＢＳデジタル放送により放送される記述子であることを特徴とする情報記録用プログラム。
【請求項９】
請求項１又は２に記載の情報記録装置により前記素材群情報が前記放送情報と共に記録された前記記録媒体から当該放送情報を再生する情報再生装置に含まれる再生コンピュータを、
前記放送情報の再生に先立って、再生すべき素材を選択するための選択手段、及び、
前記選択された素材が属する前記素材群に対応する前記素材群情報の内容を表示するための表示信号を生成する生成手段、
として機能させることを特徴とする情報再生用プログラム。
【請求項１０】
請求項７又は８に記載の情報記録用プログラムが前記記録コンピュータで読み取り可能に記録されていることを特徴とする情報記録媒体。
【請求項１１】
請求項９に記載の情報再生用プログラムが前記再生コンピュータで読み取り可能に記録されていることを特徴とする情報記録媒体。
【発明の詳細な説明】
【０００１】
【発明の属する技術分野】
本発明は、情報記録装置、情報再生装置、情報記録方法、情報再生方法、情報記録用プログラム及び情報再生用プログラム並びに情報記録媒体の技術分野に属し、より詳細には、ネットワーク又は放送を介して配信されている放送情報を記録媒体に記録する情報記録装置、情報記録方法、情報記録用プログラム及び当該情報記録用プログラムが記録された情報記録媒体、並びに当該記録されている放送情報を記録媒体から再生する情報再生装置、情報再生方法、情報再生用プログラム及び当該情報再生用プログラムが記録された情報記録媒体の技術分野に属する。
【０００２】
【従来の技術】
近年、いわゆるＢＳデジタル放送が開始され、高品質のデジタル画像等を手軽に入手することが可能となりつつある。
【０００３】
ここで、従来のいわゆるハイビジョンレコーダにおいては、ＢＳデジタルチューナから出力された複数種類の素材（一般には、エレメンタリーストリーム（Elementary  Stream）と称されることもある）を含む放送情報をそのまま記録する構成とされていた。
【０００４】
【発明が解決しようとする課題】
しかしながら、上述した従来のレコーダにおいては、複数の又は複数種類の素材により一つの素材群が構成されて放送されているような場合に、この素材群の存在は全く考慮されていなかった。
【０００５】
また、従来においては、記録されている素材の属性等その内容を見るためには、放送情報そのものの一部として記録されている管理情報を検索する必要があり、例えばその管理情報を含めて素材全体が暗号化されているような場合には、その暗号化を解いた上で素材中の管理情報まで辿り付く必要があり、使用者としての利便性が低下するという問題点があった。
【０００６】
そこで本発明は上記の問題点に鑑みて為されたもので、その課題は、放送情報の再生に当たり、当該放送情報そのものを再生することなくそれに含まれている素材の組み合わせ等を認識することが可能となるように放送情報等を記録することが可能な情報記録装置、情報記録方法、情報記録用プログラム及び当該情報記録用プログラムが記録された情報記録媒体、並びに当該記録されている放送情報を記録媒体から再生する情報再生装置、情報再生方法、情報再生用プログラム及び当該情報再生用プログラムが記録された情報記録媒体を提供することにある。
【０００７】
【課題を解決するための手段】
上記の課題を解決するために、請求項１に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報をハードディスク等の記録媒体に記録する情報記録装置において、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成するコントローラ等の生成手段と、前記生成された素材群情報を、前記放送情報と共に前記記録媒体に記録するコントローラ等の記録手段と、を備える。
【０００８】
よって、放送情報とは別個に素材群情報を記録するので、当該放送情報の再生に当たり、当該放送情報そのものを再生することなくそれに含まれている素材の組み合わせ等を認識することができる。
【０００９】
上記の課題を解決するために、請求項２に記載の発明は、請求項１に記載の情報記録装置において、前記放送情報はＢＳデジタル放送により放送されている放送情報であると共に、前記相関情報は当該ＢＳデジタル放送により放送される記述子であるように構成される。
【００１０】
よって、ＢＳデジタル放送により放送される放送情報に含まれている記述子に基づいて素材群情報を生成するので、簡易且つ正確に各情報を生成することができる。
【００１１】
上記の課題を解決するために、請求項３に記載の発明は、請求項１又は２に記載の情報記録装置により前記素材群情報が前記放送情報と共に記録された前記記録媒体から当該放送情報を再生する情報再生装置において、前記放送情報の再生に先立って、再生すべき素材を選択するための操作部等の選択手段と、前記選択された素材が属する前記素材群に対応する前記素材群情報の内容を表示するための表示信号を生成するＯＳＤ（On  Screen  Display）部生成部等の生成手段と、を備える。
【００１２】
よって、放送情報とは別個に素材群情報が記録されており、放送情報そのものの再生に先立って素材群情報の内容が表示されるので、当該放送情報そのものを再生することなくそれに含まれている素材の組み合わせ等を認識することができる。
【００１３】
上記の課題を解決するために、請求項４に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報を記録媒体に記録する情報記録方法において、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成する生成工程と、前記生成された素材群情報を、前記放送情報と共に前記記録媒体に記録する記録工程と、を備える。
【００１４】
よって、放送情報とは別個に素材群情報を記録するので、当該放送情報の再生に当たり、当該放送情報そのものを再生することなくそれに含まれている素材の組み合わせ等を認識することができる。
【００１５】
上記の課題を解決するために、請求項５に記載の発明は、請求項４に記載の情報記録方法において、前記放送情報はＢＳデジタル放送により放送されている放送情報であると共に、前記相関情報は当該ＢＳデジタル放送により放送される記述子であるように構成される。
【００１６】
よって、ＢＳデジタル放送により放送される放送情報に含まれている記述子に基づいて素材群情報を生成するので、簡易且つ正確に各情報を生成することができる。
【００１７】
上記の課題を解決するために、請求項６に記載の発明は、請求項４又は５に記載の情報記録方法により前記素材群情報が前記放送情報と共に記録された前記記録媒体から当該放送情報を再生する情報再生方法において、前記放送情報の再生に先立って、再生すべき素材を選択するための選択工程と、前記選択された素材が属する前記素材群に対応する前記素材群情報の内容を表示するための表示信号を生成する生成工程と、を備える。
【００１８】
よって、放送情報とは別個に素材群情報が記録されており、放送情報そのものの再生に先立って素材群情報の内容が表示されるので、当該放送情報そのものを再生することなくそれに含まれている素材の組み合わせ等を認識することができる。
【００１９】
上記の課題を解決するために、請求項７に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報をハードディスク等の記録媒体に記録する情報記録装置に含まれるコンピュータを、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成する生成手段、及び、前記生成された素材群情報を、前記放送情報と共に前記記録媒体に記録する記録手段、として機能させる。
【００２０】
よって、放送情報とは別個に素材群情報を記録するように記録コンピュータが機能するので、当該放送情報の再生に当たり、当該放送情報そのものを再生することなくそれに含まれている素材の組み合わせ等を認識することができる。
【００２１】
上記の課題を解決するために、請求項８に記載の発明は、請求項７に記載の情報記録用プログラムにおいて、前記放送情報はＢＳデジタル放送により放送されている放送情報であると共に、前記相関情報は当該ＢＳデジタル放送により放送される記述子であるように構成される。
【００２２】
よって、ＢＳデジタル放送により放送される放送情報に含まれている記述子に基づいて素材群情報を生成するように記録コンピュータが機能するので、簡易且つ正確に各情報を生成することができる。
【００２３】
上記の課題を解決するために、請求項９に記載の発明は、請求項１又は２に記載の情報記録装置により前記素材群情報が前記放送情報と共に記録された前記記録媒体から当該放送情報を再生する情報再生装置に含まれる再生コンピュータを、前記放送情報の再生に先立って、再生すべき素材を選択するための選択手段、及び、前記選択された素材が属する前記素材群に対応する前記素材群情報の内容を表示するための表示信号を生成する生成手段、として機能させる。
【００２４】
よって、放送情報とは別個に素材群情報が記録されており、放送情報そのものの再生に先立って素材群情報の内容が表示されるように再生コンピュータが機能するので、当該放送情報そのものを再生することなくそれに含まれている素材の組み合わせ等を認識することができる。
【００２５】
上記の課題を解決するために、請求項１０に記載の発明は、請求項７又は８に記載の情報記録用プログラムが前記記録コンピュータで読み取り可能に記録されている。
【００２６】
よって、請求項７に記載の情報記録用プログラムが記録されている場合には、これを記録コンピュータで読み出して実行することにより、放送情報とは別個に素材群情報を記録するように当該記録コンピュータが機能するので、当該放送情報の再生に当たり、当該放送情報そのものを再生することなくそれに含まれている素材の組み合わせ等を認識することができる。
【００２７】
また、請求項８に記載の情報記録用プログラムが記録されている場合には、これを記録コンピュータで読み出して実行することにより、ＢＳデジタル放送により放送される放送情報に含まれている記述子に基づいて素材群情報を生成するように当該記録コンピュータが機能するので、簡易且つ正確に各情報を生成することができる。
【００２８】
上記の課題を解決するために、請求項１１に記載の発明は、請求項９に記載の情報再生用プログラムが前記再生コンピュータで読み取り可能に記録されている。
【００２９】
よって、これを再生コンピュータで読み出して実行することにより、放送情報とは別個に素材群情報が記録されており、放送情報そのものの再生に先立って素材群情報の内容が表示されるように当該再生コンピュータが機能するので、当該放送情報そのものを再生することなくそれに含まれている素材の組み合わせ等を認識することができる。
【００３０】
【発明の実施の形態】
次に、本発明に好適な実施の形態について、図面に基づいて説明する。
【００３１】
なお、以下に説明する実施の形態は、持ち運びが可能であると共に著作権保護のための処理を施したハードディスクに対して、インターネット等のネットワークを介して配信されて来るＡＶ（Audio Visual）情報（音楽情報又は画像情報等を含む）を記録する記録処理と、当該記録されたＡＶ情報に対する編集処理とが共に可能とされている情報記録装置に対して本発明を適用した場合の実施の形態である。
【００３２】
なお、以下の説明において、上記ＡＶ情報は、動画像の圧縮技術に関する規格として周知のＭＰＥＧ（Moving  Picture  Experts  Group）２規格におけるトランスポートストリーム（Transport stream）規格に則って配信されて来るものとする。
【００３３】
（Ｉ）記録フォーマットの実施形態
初めに、実施形態に係る情報記録装置について具体的に説明する前に、当該情報記録装置により上記ハードディスクに対して上記ＡＶ情報を記録する際に用いられる論理的な記録フォーマットの概要について、図１乃至図７を用いて説明する。なお、図１乃至図７は、当該ＡＶ情報が当該記録フォーマットに基づいてハードディスクに記録された後の当該記録フォーマットを階層的且つ模式的に夫々示す図である。
【００３４】
また、図１乃至図７に示す記録フォーマットは、実施形態のＡＶ情報をハードディスクに記録する際に用いられる論理的な記録フォーマットであり、当該記録の際に用いられる物理的な記録フォーマットについては、ハードディスクに用いられている周知の物理フォーマットがそのまま用いられる。
【００３５】
先ず、記録されているＡＶ情報の内容及び記録態様を効率的に管理するべく当該記録フォーマットにおいて採用されている種々の概念について、その概要を説明する。
【００３６】
第一に、以下の記録フォーマットにおいては、記録されているＡＶ情報を取り扱う際の単位として、プログラムなる概念が用いられている。すなわち、プログラムとは、時間的に連続してハードディスクに記録された一のＡＶ情報をいう。
【００３７】
ここで、配信されて来るＡＶ情報がアナログ情報である場合、例えばテレビジョン放送における一の番組を連続して記録した場合にはその一の番組がプログラムとなり、その番組の一部分だけを連続して記録した場合にはその連続して記録した部分のみが一のプログラムとなり、更に複数の番組を同時に連続して記録したときはその連続して記録した複数の番組全てが一のプログラムとなる。一方、当該ＡＶ情報がデジタル情報である場合、例えば、そのＡＶ情報がＢＳ（Broadcast Satellite）デジタル放送として配信されるものである場合には、当該ＢＳデジタル放送における一のイベントが一のプログラムとなるように定義されている。
【００３８】
第二に、以下の記録フォーマットにおいては、一旦記録したＡＶ情報を使用者（記録したＡＶ情報を視聴する使用者）が自在に編集して新たなプログラムを論理的に作成するために、プログラムリストなる概念が用いられている。すなわち、プログラムリストとは、一のプログラム全体又はその一部を特定して他のプログラム又は他の一部から区別するための指示情報（一般には、ポインタとも称される）の集合としてのリストであり、このプログラムリスト毎に当該プログラムリストに含まれているＡＶ情報の内容を代表する代表画像（以下、サムネイル画像と称する）を定義することができることとされている。
【００３９】
従って、例えば、記録されている一のプログラムの一部と他のプログラムの一部とをこの順番で連続して再生するように使用者が編集する場合には、当該一のプログラムの一部を示す指示情報と当該他のプログラムの一部を示す指示情報とをこの順番で再生するように当該使用者自身が組み合わせて一のプログラムリストを作成することとなる。また、このプログラムリストの概念を採用することで、最初にハードディスクに記録されたＡＶ情報自体における記録順序等に変更を加えることなく、使用者の所望する再生態様によりＡＶ情報を再生することが可能となるのである。
【００４０】
ここで、プログラムリストには、上述したように使用者自らが記録後のＡＶ情報を参照しながら設定するプログラムリスト（使用者定義プログラムリスト）と、記録されるＡＶ情報を配信する配信業者（ベンダ）が予め設定したプログラムリスト（ベンダ定義プログラムリスト）と、が定義されている。
【００４１】
更に、上述したサムネイル画像には、上記ベンダが予め設けた上でそのＡＶ情報と共に配信するベンダ定義サムネイル画像と、配信されて来たＡＶ情報をハードディスクに記録した後に使用者が新たに設ける使用者定義サムネイル画像と、が定義されている。
【００４２】
第三に、以下の記録フォーマットにおいては、使用者が所望する再生態様（より具体的には、使用者が特定したＡＶ情報毎の再生順序）に基づいて作成した使用者定義プログラムリスト又はベンダ定義プログラムリストを複数含む集合体として、プログラムセットなる概念が用いられている。ここで、プログラムセットには、ハードディスクに最初に記録したＡＶ情報（プログラム）をその記録した順序のままで再生するために用いられる初期プログラムセット（当該初期プログラムセットに含まれるプログラムリストは上記ベンダ定義プログラムリストである。）と、上記使用者定義プログラムリストを含む使用者定義プログラムセットと、が定義されている。
【００４３】
第四に、以下の記録フォーマットにおいては、上述した指示情報の一種として、インデックスなる概念が用いられている。すなわち、インデックスとは、一のプログラム全体又はその一部を特定して他のプログラム又は他の一部から区別するための指示情報であって、使用者におけるＡＶ情報の取り扱いの容易性を向上させるために設けられているものである。このとき、インデックスには、上記配信業者が予め設けた上で配信するベンダ定義インデックスと、配信されて来たＡＶ情報をハードディスクに記録した後に使用者が新たに設ける使用者定義インデックスと、が定義されている。そして、ベンダ定義インデックスはインデックスファイルなる形態でＡＶ情報と共に配信され、一方、使用者定義インデックスは上記プログラムリストとして表現されるものである。
【００４４】
次に、上述してきた種々の概念に基づいて、実施形態に係る論理的な記録フォーマットについて説明する。
【００４５】
図１に示すように、必要なＡＶ情報が記録された後のハードディスク１上には、一の当該ハードディスク１に記録されているプログラム全体に関する管理情報であって記録されているＡＶ情報を再生する際に最初に参照されるマネージメント情報ＭＩと、上記した初期プログラムセットに関する管理情報である初期プログラムセット情報ＤＰＳＩと、上記したベンダ定義サムネイル画像に対応する画像情報が、その画像情報自体の名称により特定されて含まれているベンダ定義サムネイル画像情報ＤＦＴＮと、上記した使用者定義プログラムセットに関する管理情報である使用者定義プログラムセット管理情報ＵＤＰＭと、上記した使用者定義サムネイル画像に対応する画像情報が、その画像情報自体の名称により特定されて含まれている使用者定義サムネイル画像情報ＵＤＴＮと、上記したプログラム夫々に対応する管理情報であるプログラム情報ＰＩＦと、配信されハードディスク１に記録されているＡＶ情報の実体そのものであるＡＶストリーム情報ＡＶＤと、当該ＡＶ情報に含まれている一のＩピクチャ（Intra-coded  Picture）に対応する画像情報により構成される一のアクセスユニットにおける当該Ｉピクチャのハードディスク１上の記録位置を示すアドレス情報と、当該一のアクセスユニットとしてのＩピクチャの総情報量を示す情報と、を、各アクセスユニット毎に区分して含んでいるアクセスユニット参照情報ＡＣＵＲと、記録されているＡＶ情報についてのライセンス状況を管理するための情報であるライセンス管理情報ＣＩＦと、上記ベンダ定義インデックスＩＤＸと、サムネイル画像として用いられる画像ではあるが、上記したベンダ定義サムネイル画像又は使用者定義サムネイル画像のいずれでもない予備的な画像に対応する画像情報である予備サムネイル画像情報ＴＭＮと、ハードディスク１にＡＶ情報が記録された後に定義づけされた上記使用者定義プログラムセット（図１に示す場合はｎ個の使用者定義プログラムセットがあることを前提としている）夫々に関する管理情報である使用者定義プログラムセット情報ＵＤＩＦ１乃至ＵＤＩＦｎと、が記録されている。
【００４６】
次に、図１に示すように、上記マネージメント情報ＭＩは、ハードディスク１自体を他のハードディスクから識別するためのハードディスク識別情報ＭＩＤ（１２バイト）と、ハードディスク１のバージョンを示すバージョン情報ＶＲＮ（２バイト）と、記録されているＡＶ情報に含まれている文字の種類（属性）を示す文字種類情報ＣＨＳ（２バイト）と、ハードディスク１自体に名称が付与されている場合のその名称自体を示す名称情報ＲＥＰ（１２８バイト）と、ハードディスク１に記録されているＡＶ情報の再生処理が終了したときに最後に再生されていた上記プログラムセットの番号である最終アクセスプログラムセット番号ＲＳＭと、上記初期プログラムセット情報ＤＰＳＩのファイルとしての名称（すなわち、いわゆるパス名と称されるものであり、具体的には「初期プログラムセット情報ＤＰＳＩ」なる名称自体）が記述されている名称情報ＤＰＰと、上記使用者定義プログラムセット管理情報ＵＤＰＭのファイルとしての名称（同様にパス名と称されるものであり、具体的には「使用者定義プログラムセット管理情報ＵＤＰＭ」なる名称自体）が記述されている名称情報ＵＭＰと、により構成されている。
【００４７】
次に、上記初期プログラムセット情報ＤＰＳＩの細部構成について、図２を用いて説明する。
【００４８】
図２に示すように、上記初期プログラムセット情報ＤＰＳＩには、上記初期プログラムセットの名称を示す名称情報等が含まれている初期プログラムセット一般情報ＤＰＩと、当該初期プログラムセットに含まれている複数のベンダ定義プログラムリストに関する情報である複数のベンダ定義プログラムリスト情報ＤＰＬ１乃至ＤＰＬｎと、が含まれている。
【００４９】
そして、初期プログラムセット一般情報ＤＰＩには、当該初期プログラムセットの名称である名称情報ＤＰＳＴ（８０バイト）と、初期プログラムセット一般情報ＤＰＩとしてのその他の情報（当該初期プログラムセットの属性等を示す情報であるメモ情報等を含む）である他情報ＤＥＴＣ（１４８バイト）と、初期プログラムセットに対応するサムネイル画像（ハードディスク１全体を代表するサムネイル画像でもある）に対応する画像情報に関する情報である初期プログラムセット代表画像情報ＰＲＴ（１５６バイト）と、後述するサムネイル画像指定子有効フラグが有効であるときのみ当該初期プログラムセット代表画像に対応する画像情報の名称が記述されている名称情報ＴＰＰ（１２８バイト）と、が含まれている。
【００５０】
更に、上記初期プログラムセット代表画像情報ＰＲＴには、当該初期プログラムセット代表画像の属性を示す属性情報ＤＴＴ（１バイト）と、初期プログラムセット代表画像情報ＰＲＴとしては無意味な情報である予備情報ＲＳＶ（３バイト）と、後述するサムネイル画像指定子有効フラグが有効であるときのみ初期プログラムセット代表画像に対応する画像情報（この場合には記録されているＡＶ情報におけるＩピクチャのみが該当する）のハードディスク１上の記録位置（当該Ｉピクチャとしての情報の先頭の記録位置）が記述されている初期プログラムセット代表画像記録位置情報ＤＴＰＳ（８バイト）と、後述するサムネイル画像指定子有効フラグが有効であるときのみ初期プログラムセット代表画像に対応する画像情報の情報量（バイト数）が記述されている初期プログラムセット代表画像情報量情報ＤＴＳＺ（４バイト）と、初期プログラムセット代表画像に対応する画像情報自体の名称が記述されている名称情報ＤＴＰ（１２８バイト）と、初期プログラムセット代表画像に対応する画像情報の上記ベンダ定義サムネイル画像情報ＤＦＴＮ内における位置（具体的には、当該ベンダ定義サムネイル画像情報ＤＦＴＮの先頭からのオフセットバイト数）が記述されているオフセット位置情報ＤＦＴ（４バイト）と、初期プログラムセット代表画像に対応する画像情報の情報量（バイト数）が記述されている初期プログラムセット代表画像情報量情報ＤＬＴ（４バイト）と、ファイルとして保存されている初期プログラムセット代表画像に対応する画像情報における水平方向の情報量が記述されている水平情報量情報ＤＴＨ（２バイト）と、ファイルとして保存されている初期プログラムセット代表画像に対応する画像情報における垂直方向の情報量が記述されている垂直情報量情報ＤＴＶ（２バイト）と、が含まれている。
【００５１】
ここで、上記初期プログラムセット代表画像記録位置情報ＤＴＰＳ及び初期プログラムセット代表画像情報量情報ＤＴＳＺは、具体的には、上記ＡＶストリーム情報ＡＶＤ内に含まれている静止画像のうちのいずれか一つ（この静止画像が初期プログラムセット代表画像として用いられる）の記録位置及び情報量を示すものであり、一方、名称情報ＤＴＰ、オフセット位置情報ＤＦＴ、初期プログラムセット代表画像情報量情報ＤＬＴ、水平情報量情報ＤＴＨ、及び垂直情報量情報ＤＴＶは、ベンダ定義サムネイル画像情報ＤＦＴＮ内に名称で特定されて記録されている静止画像を指し示すものである。
【００５２】
次に、属性情報ＤＴＴには、初期プログラムセット代表画像を再設定することを許可するか否かを示す許可情報ＲＥＬと、上記初期プログラムセット代表画像記録位置情報ＤＴＰＳ及び初期プログラムセット代表画像情報量情報ＤＴＳＺを用いた静止画像の指定が有効か否かを示す上記サムネイル画像指定子有効フラグＶＬＤと、初期プログラムセット代表画像として用いられる画像が配信されて来たＡＶ情報以外の画像情報から選ばれている場合のその画像に対応する画像情報の種類（属性）を示す属性情報ＥＴＦＴと、が含まれている。このとき、許可情報ＲＥＬについては、初期プログラムセット代表画像を再設定することを許可するときはその値として「０」が記述されており、当該再設定を許可しないときはその値として「１」が記述されている。また、サムネイル画像指定子有効フラグＶＬＤについては、初期プログラムセット代表画像記録位置情報ＤＴＰＳ及び初期プログラムセット代表画像情報量情報ＤＴＳＺを用いた静止画像の指定が有効であるときはその値として「１」が記述されており、当該指定を無効とするときはその値として「０」が記述されている。
【００５３】
次に、各ベンダ定義プログラムリスト情報ＤＰＬには、当該ベンダ定義プログラムリスト情報ＤＰＬに対応するベンダ定義プログラムリストの名称（この名称は使用者が変更可能とされている）である名称情報ＤＰＬＴ（８０バイト）と、ベンダ定義プログラムリスト情報ＤＰＬとしてのその他の情報（当該ベンダ定義プログラムリストの属性等を示す情報であるメモ情報等を含む）である他情報ＤＰＴＣ（１０８バイト）と、ベンダ定義プログラムリストに対応するサムネイル画像に対応する画像情報に関する情報であるベンダ定義プログラムリスト代表画像情報ＰＰＲＴ（１５６バイト）と、当該ベンダ定義プログラムリストに含まれるプログラムに対応する後述するプログラム情報の名称自体が記述されている名称情報ＰＰＴ（１２８バイト）と、当該ベンダ定義プログラムリストに基づいてアクセスするプログラムのハードディスク１上の記録開始位置が記述されている開始位置情報ＳＴＰ（８バイト）と、当該ベンダ定義プログラムリストに基づいてアクセスするプログラムのハードディスク１上の記録終了位置が記述されている終了位置情報ＥＴＰ（８バイト）と、ベンダ定義プログラムリスト情報ＤＰＬとしては無意味な情報である予備情報ＲＳＶ（４バイト）と、が含まれている。
【００５４】
更に、上記ベンダ定義プログラムリスト代表画像情報ＰＰＲＴには、当該ベンダ定義プログラムリスト代表画像の属性を示す属性情報ＰＴＴ（１バイト）と、ベンダ定義プログラムリスト代表画像情報ＰＰＲＴとしては無意味な情報である予備情報ＲＳＶ（３バイト）と、後述するサムネイル画像指定子有効フラグが有効であるときのみベンダ定義プログラムリスト代表画像に対応する画像情報（この場合には記録されているＡＶ情報におけるＩピクチャのみが該当する）のハードディスク１上の記録位置（当該Ｉピクチャとしての情報の先頭の記録位置）が記述されているベンダ定義プログラムリスト代表画像記録位置情報ＰＴＰＳ（８バイト）と、後述するサムネイル画像指定子有効フラグが有効であるときのみベンダ定義プログラムリスト代表画像に対応する画像情報の情報量（バイト数）が記述されているベンダ定義プログラムリスト代表画像情報量情報ＰＴＳＺ（４バイト）と、ベンダ定義プログラムリスト代表画像に対応する画像情報自体の名称が記述されている名称情報ＰＴＰ（１２８バイト）と、ベンダ定義プログラムリスト代表画像に対応する画像情報の上記ベンダ定義サムネイル画像情報ＤＦＴＮ内における位置（具体的には、当該ベンダ定義サムネイル画像情報ＤＦＴＮの先頭からのオフセットバイト数）が記述されているオフセット位置情報ＰＦＴ（４バイト）と、ベンダ定義プログラムリスト代表画像に対応する画像情報の情報量（バイト数）が記述されているベンダ定義プログラムリスト代表画像情報量情報ＰＬＴ（４バイト）と、ファイルとして保存されているベンダ定義プログラムリスト代表画像に対応する画像情報における水平方向の情報量が記述されている水平情報量情報ＰＴＨ（２バイト）と、ファイルとして保存されているベンダ定義プログラムリスト代表画像に対応する画像情報における垂直方向の情報量が記述されている垂直情報量情報ＰＴＶ（２バイト）と、が含まれている。
【００５５】
ここで、上記ベンダ定義プログラムリスト代表画像記録位置情報ＰＴＰＳ及びベンダ定義プログラムリスト代表画像情報量情報ＰＴＳＺは、具体的には、上記ＡＶストリーム情報ＡＶＤ内に含まれている静止画像のうちのいずれか一つ（この静止画像がベンダ定義プログラムリスト代表画像として用いられる）の記録位置及び情報量を示すものであり、一方、名称情報ＰＴＰ、オフセット位置情報ＰＦＴ、ベンダ定義プログラムリスト代表画像情報量情報ＰＬＴ、水平情報量情報ＰＴＨ、及び垂直情報量情報ＰＴＶは、ベンダ定義サムネイル画像情報ＤＦＴＮ内に名称で特定されて記録されている静止画像を指し示すものである。
【００５６】
次に、属性情報ＰＴＴには、ベンダ定義プログラムリスト代表画像を再設定することを許可するか否かを示す許可情報ＲＥＬと、上記ベンダ定義プログラムリスト代表画像記録位置情報ＰＴＰＳ及びベンダ定義プログラムリスト代表画像情報量情報ＰＴＳＺを用いた静止画像の指定が有効か否かを示す上記サムネイル画像指定子有効フラグＶＬＤと、ベンダ定義プログラムリスト代表画像として用いられる画像が、配信されて来たＡＶ情報以外の画像情報から選ばれている場合のその画像に対応する画像情報の種類（属性）を示す属性情報ＥＴＦＴと、が含まれている。このとき、許可情報ＲＥＬについては、ベンダ定義プログラムリスト代表画像を再設定することを許可するときはその値として「０」が記述されており、当該再設定を許可しないときはその値として「１」が記述されている。また、サムネイル画像指定子有効フラグＶＬＤについては、ベンダ定義プログラムリスト代表画像記録位置情報ＰＴＰＳ及びベンダ定義プログラムリスト代表画像量情報ＰＴＳＺを用いた静止画像の指定が有効であるときはその値として「１」が記述されており、当該指定を無効とするときはその値として「０」が記述されている。
【００５７】
次に、上記使用者定義プログラムセット管理情報ＵＤＰＭの細部構成等について、図３を用いて説明する。
【００５８】
図３に示すように、使用者定義プログラムセット管理情報ＵＤＰＭには、上記使用者定義プログラムセットの総数を示す総数情報が記述されている使用者定義プログラムセット一般情報ＵＤＰＳＩと、上記各使用者定義プログラムセット情報ＵＤＩＦ１乃至ＵＤＩＦｎの名称自体（具体的には、例えば「使用者定義プログラムセット情報ＵＤＩＦ１」なる名称自体）が各使用者定義プログラムセット情報ＵＤＩＦ毎に対応付けて記述されている名称情報ＵＤＰＴ１乃至ＵＤＰＴｎと、が含まれている。
【００５９】
そして、一の名称情報ＵＤＰＴにより名称が記述されている使用者定義プログラムセット情報ＵＤＩＦには、図３に示すように、上記使用者定義プログラムセットの名称を示す名称情報等が含まれている使用者定義プログラムセット一般情報ＵＰＩと、当該使用者定義プログラムセットに含まれている複数の使用者定義プログラムリストに関する情報である複数の使用者定義プログラムリスト情報ＵＰＬ１乃至ＵＰＬｎと、が含まれている。ここで、上記使用者定義プログラムセット一般情報ＵＰＩは、図２において説明した初期プログラムセット一般情報ＤＰＩと同様の階層構造を備えており、一方、使用者定義プログラムリスト情報ＵＰＬも、図２において説明したベンダ定義プログラムリスト情報ＤＰＬと同様の階層構造を備えている。
【００６０】
次に、上記プログラム情報ＰＩＦの細部構造について、図４乃至図６を用いて説明する。
【００６１】
先ず、図４に示すように、プログラム情報ＰＩＦは、対応するプログラムに関する一般的な情報が記述されているプログラム一般情報ＰＩと、そのプログラムに対応するライセンスに関する情報が記述されているプログラムライセンス情報ＣＩと、そのプログラムが属するインデックスに関する情報であるインデックス情報ＩＩと、そのプログラムに含まれるアクセスユニットに関する情報であるアクセスユニット情報ＡＣＵＩと、上記ＡＶ情報の配信時におけるフォーマットであるトランスポートストリームを構成するパケットを予め設定された数だけ含んで構成されるアロケーションユニットに関する情報であるアロケーションユニット情報ＡＬＵＩと、により構成されている。
【００６２】
次に、上記プログラム一般情報ＰＩの細部構成について説明する。
【００６３】
図４に示すように、プログラム一般情報ＰＩは、そのプログラムの出所（すなわち、アナログ放送を受信して得られたものであるか、ＢＳデジタル放送を受信して得られたものであるか等）を示すプログラムソース情報ＰＳＴ（１バイト）と、プログラム一般情報ＰＩとしてのその他の情報である他情報ＰＦＴＣ（１４３バイト）と、そのプログラムを構成する素材（すなわち、画像、音声又はデータのいずれかであり、一般にはエレメンタリーストリームとも称される）に関する情報であるプログラム素材情報ＰＥＳＩ（１０４バイト）と、そのプログラムがハードディスク１に記録された時の記録態様を示す情報が記述されているプログラム記録状態情報ＰＲＳと、により構成されている。
【００６４】
次に、上記プログラム素材情報ＰＥＳＩは、当該プログラム素材情報ＰＥＳＩとしての一般的な情報であるプログラム素材一般情報ＰＧＳＩと、当該プログラムを構成する複数の素材のうち、互いに関係のある素材（例えば同時並行的に再生されるべき画像情報と音声情報）により予め構成されて配信されて来る複数の素材群の内容を示す情報が記録されているハードディスク１上の夫々の位置を記述する複数の素材群サーチポインタＣＧＳＰ１乃至ＣＧＳＰｎと、当該素材群の内容を示す情報が具体的に記述されている複数の素材群情報ＣＧＩＦ１乃至ＣＧＩＦｎと、プログラム素材情報ＰＥＳＩ全体としての情報量を調整するためのパディングデータＰＤと、により構成されている。
【００６５】
次に、プログラム素材一般情報ＰＧＳＩは、そのプログラムの属性を示す属性情報ＡＴＢ（１バイト）と、そのプログラム素材情報ＰＥＳＩに含まれている素材群サーチポインタＣＧＳＰの数を示すポインタ数情報ＳＰＮ（１バイト）と、により構成されている。
【００６６】
更に、一の素材群サーチポインタＣＧＳＰは、対応する素材群の内容を示す情報が記録されているハードディスク１上の夫々の位置を、当該プログラム素材情報ＰＥＳＩの先頭が記録されているハードディスク１上の位置からの相対的なアドレス情報として記述する群情報スタートアドレス情報ＣＧＳＡ（１バイト）を含んで構成されている。
【００６７】
次に、一の素材群情報ＣＧＩＦは、その素材群情報ＣＧＩＦ内に含まれている素材に関する情報の数を示す素材数が記述されている素材数情報ＮＥＳ（１バイト）により構成されている素材群一般情報ＣＧＧＩと、当該各素材の属性等を示す情報が具体的に記述されている複数の素材情報ＥＳＩ１乃至ＥＳＩｎと、により構成されている。
【００６８】
そして、一の素材情報ＥＳＩは、当該素材情報ＥＳＩとしては無意味な情報である予備情報ＲＳＶ（１バイト）と、その素材の種類（すなわち、その素材が画像情報か音声情報か等の種類）を示す種類情報ＣＴＹ及びその素材が含まれている上記パケットを識別するためのパケット識別情報ＰＩＤが含まれている素材パケット識別情報ＣＰＤと、その識別された種類を具体的に記述している種類記述情報ＣＭＤと、により構成されている。
【００６９】
次に、上記インデックス情報ＩＩの細部構成について、図５を用いて説明する。
【００７０】
図５に示すように、当該インデックス情報ＩＩは、当該インデックス情報ＩＩとしての一般的な情報であるインデックス一般情報ＩＧＩと、複数のインデックスの夫々について、ハードディスク１上におけるその開始位置等が記述されている複数のインデックスエントリー情報ＩＥ１乃至ＩＥｎと、により構成されている。
【００７１】
そして、インデックス一般情報ＩＧＩは、当該プログラムに含まれているインデックスの数を示す情報が記述されているインデックス数情報ＮＩ（１バイト）を含んでいる。
【００７２】
また、一のインデックスエントリー情報ＩＥは、当該インデックスに関するその他の情報を含むインデックス記述情報ＩＤＣ（１００バイト）と、そのインデックスに対応するサムネイル画像に対応する画像情報に関する情報であるインデックス代表画像情報ＩＰＲＴ（１５６バイト）と、そのインデックスに対応するプログラムリストに含まれるプログラムが記録されているハードディスク１上の領域の開始位置を示すインデックス開始位置情報ＩＳＰと、そのインデックスに対応するプログラムリストに含まれるプログラムが記録されているハードディスク１上の領域の終了位置を示すインデックス終了位置情報ＩＥＰと、により構成されている。
【００７３】
そして、上記インデックス代表画像情報ＩＰＲＴには、当該インデックス代表画像の属性を示す属性情報ＩＴＴ（１バイト）と、インデックス代表画像情報ＩＰＲＴとしては無意味な情報である予備情報ＲＳＶ（３バイト）と、後述するサムネイル画像指定子有効フラグが有効であるときのみインデックス代表画像に対応する画像情報（この場合には記録されているＡＶ情報におけるＩピクチャのみが該当する）のハードディスク１上の記録位置（当該Ｉピクチャとしての情報の先頭の記録位置）が記述されているインデックス代表画像記録位置情報ＩＴＰＳ（８バイト）と、後述するサムネイル画像指定子有効フラグが有効であるときのみインデックス代表画像に対応する画像情報の情報量（バイト数）が記述されているインデックス代表画像情報量情報ＩＴＳＺ（４バイト）と、インデックス代表画像に対応する画像情報自体の名称が記述されている名称情報ＩＴＰ（１２８バイト）と、インデックス代表画像に対応する画像情報の上記使用者定義サムネイル画像情報ＵＤＴＮ内における位置（具体的には、当該使用者定義画像情報ＵＤＴＮの先頭からのオフセットバイト数）が記述されているオフセット位置情報IＦＴ（４バイト）と、インデックス代表画像に対応する画像情報の情報量（バイト数）が記述されているインデックス代表画像情報量情報ＩＬＴ（４バイト）と、ファイルとして保存されているインデックス代表画像に対応する画像情報における水平方向の情報量が記述されている水平情報量情報ＩＴＨ（２バイト）と、ファイルとして保存されているインデックス代表画像に対応する画像情報における垂直方向の情報量が記述されている垂直情報量情報ＩＴＶ（２バイト）と、が含まれている。
【００７４】
ここで、上記インデックス代表画像記録位置情報ＩＴＰＳ及びインデックス代表画像情報量情報ＩＴＳＺは、具体的には、上記ＡＶストリーム情報ＡＶＤ内に含まれている静止画像のうちのいずれか一つ（この静止画像がインデックス代表画像として用いられる）の記録位置及び情報量を示すものであり、一方、名称情報ＩＴＰ、オフセット位置情報ＩＦＴ、インデックス代表画像情報量情報ＩＬＴ、水平情報量情報ＩＴＨ、及び垂直情報量情報ＩＴＶは、使用者定義サムネイル画像情報ＵＤＴＮ内に名称で特定されて記録されている静止画像を指し示すものである。
【００７５】
次に、属性情報ＩＴＴには、インデックス代表画像を再設定することを許可するか否かを示す許可情報ＲＥＬと、上記インデックス代表画像記録位置情報ＩＴＰＳ及びインデックス代表画像情報量情報ＩＴＳＺを用いた静止画像の指定が有効か否かを示す上記サムネイル画像指定子有効フラグＶＬＤと、インデックス代表画像として用いられる画像が、配信されて来たＡＶ情報以外の画像情報から選ばれている場合のその画像に対応する画像情報の種類（属性）を示す属性情報ＥＴＦＴと、が含まれている。このとき、許可情報ＲＥＬについては、インデックス代表画像を再設定することを許可するときはその値として「０」が記述されており、当該再設定を許可しないときはその値として「１」が記述されている。また、サムネイル画像指定子有効フラグＶＬＤについては、インデックス代表画像記録位置情報ＰＴＰＳ及びインデックス代表画像量情報ＩＴＳＺを用いた静止画像の指定が有効であるときはその値として「１」が記述されており、当該指定を無効とするときはその値として「０」が記述されている。
【００７６】
次に、上記アクセスユニット情報ＡＣＵＩ及びアロケーションユニット情報ＡＬＵＩについて、図６を用いて説明する。
【００７７】
先ず、アクセスユニット情報ＡＣＵＩは、ヘッダ情報としてのアクセスユニットヘッダＡＣＵＨと、上記アクセスユニット参照情報ＡＣＵＲ中に含まれている各アクセスユニット情報の名称自体が記述されている名称情報ＡＣＩＰ１乃至ＡＣＩＰｎ（夫々１２８バイト）と、により構成されている。
【００７８】
次に、アクセスユニットヘッダＡＣＵＨには、アクセスユニット情報の属性が記述されている属性情報ＡＣＵＴと、アクセスユニットヘッダＡＣＵＨとしては無意味な情報である予備情報ＲＳＶ（７バイト）と、が含まれている。
【００７９】
そして、属性情報ＡＣＵＴには、アクセスユニット単位での記録又は再生を実行するか否かを示すアクセスユニット有効フラグＡＶＬＤ（１ビット）と、ハードディスク１に記録されているアクセスユニットの総数を示す情報が記述されているユニット数情報ＮＡＣＵ（３ビット）と、属性情報ＡＣＵＴとしては無意味な情報である予備情報ＲＳＶ（３ビット）と、そのアクセスユニットの取り扱い方を示す情報が記述されているアクセスユニット取扱情報ＡＣＵＭ（１ビット）と、が含まれている。このとき、アクセスユニット有効フラグＡＶＬＤについては、アロケーションユニットに関する時刻情報のみが記録されている場合にはその値として「０」が記述されており、アロケーションユニットに関する時刻情報とアクセスユニットに関する時刻情報との双方が記録されている場合にはその値として「１」が記述されている。また、アクセスユニット取扱情報ＡＣＵＭについては、後述するアクセスユニットタイムスタンプＡＣＵＴＳにおいて、アクセスユニットがＡＶ情報に含まれて配信されてくる表示制御時刻情報（プレゼンテーションタイムスタンプとも称される）を用いて記述されている場合はその値として「０」が記述されており、当該アクセスユニットタイムスタンプＡＣＵＴＳが対応するアクセスユニットの先頭を含んで配信されたパケットの到着（受信）時刻を用いて記述されている場合はその値として「１」が記述されている。
【００８０】
次に、アロケーションユニット情報ＡＬＵＩは、アロケーションユニット情報としての一般的な情報であるアロケーションユニット一般情報ＡＬＧＩと、各アロケーションユニットに関する時間情報が当該アロケーションユニット毎に記述されている複数のアロケーションユニットエントリー情報ＡＬＥ１乃至ＡＬＥｎと、により構成されている。
【００８１】
そして、アロケーションユニット一般情報ＡＬＧＩは、一のアロケーションユニットに含まれている情報のバイト数を示すアロケーションユニット情報量情報ＡＬＳＺ（４バイト）と、そのアロケーションユニットに含まれているＡＶ情報の名称を示す情報が記述されている名称情報ＡＤＰ（１２８バイト）と、ハードディスク１に記録されているアロケーションユニットの総数を示す情報が記述されているユニット数情報ＮＡＬＵ（４バイト）と、により構成されている。
【００８２】
更に、一のアロケーションユニットエントリー情報ＡＬＥは、対応するアロケーションに含まれている最初のパケットが受信された時刻を示す情報が記述されているスタートタイムスタンプ情報ＳＡＴＳ（４バイト）と、対応するアロケーションに含まれている最後のパケットが受信された時刻を示す情報が記述されているエンドタイムスタンプ情報ＥＡＴＳ（４バイト）と、により構成されている。
【００８３】
次に、上記ＡＶストリーム情報ＡＶＤの細部構成について、図７を用いて説明する。なお、図７に限っては、ＡＶストリーム情報ＡＶＤを物理的に解析した記録フォーマットが示されている。
【００８４】
先ず、図７に示すように、ＡＶストリーム情報ＡＶＤは、上記アロケーションユニットＡＬＵが一又は複数個纏まった状態でハードディスク１上に記録されている。そして、一のアロケーションユニットＡＬＵの情報量は、例えば１メガバイト程度とされ、更に一のアロケーションユニットＡＬＵ一又は複数のアラインドユニット（Aligned Unit）ＡＵから構成されている。
【００８５】
このとき、一のアラインドユニットＡＵは１２個のセクタ（１セクタは５１２バイト）から構成されており、四つのアラインドサブユニットＡＳＵから構成される。また、一のアラインドサブユニットＡＳＵは八つの記録パケットＲＰにより構成されている。そして、一の記録パケットＲＰは、上記トランスポートストリームにおけるパケット（それに含まれる情報量は１８８バイトで一定とされている）ＰＫＴの前に４バイトの記録パケットヘッダＲＰＨを付加したものである。ここで、記録パケットヘッダＲＰＨには、パケットＰＫＴ内に含まれて配信されて来たＡＶ情報が暗号化されているか否かを示す情報が記述されているフラグＣＦ（１ビット）と、記録パケットヘッダＲＰＨとしては無意味な情報である予備情報ＲＳＶ（２ビット）と、周波数９０ｋＨｚで計時したパケットＰＫＴの受信時刻を示す情報である受信時刻情報ＡＴＳ１と、周波数２７ＭＨｚで副次的に計時したパケットＰＫＴの受信時刻を示す情報である受信時刻情報ＡＴＳ２と、が含まれている。
【００８６】
最後に、上記アクセスユニット参照情報ＡＣＵＲの細部構成について、図８を用いて説明する。
【００８７】
図８に示すように、当該アクセスユニット参照情報ＡＣＵＲは、当該アクセスユニット参照情報ＡＣＵＲとしての一般的な情報であるアクセスユニット一般情報ＡＣＵＧＩと、複数のアクセスユニットの夫々について、ハードディスク１上におけるその記録位置等が記述されている複数のアクセスユニットエントリー情報ＡＣＵＥ１乃至ＡＣＵＥｎと、により構成されている。
【００８８】
次に、アクセスユニット一般情報ＡＣＵＧＩは、ハードディスク１に記録されているアクセスユニットの総数を示すアクセスユニット数情報ＮＡＣＵ（４バイト）が記述されている。
【００８９】
また、一のアクセスユニットエントリー情報ＡＣＵＥには、対応するアクセスユニットに関する時間情報であるアクセスユニットタイムスタンプＡＣＵＴＳ（４バイト）と、そのアクセスユニットのハードディスク１上の記録位置を示すアクセスユニット位置情報ＡＣＵＰＳと、そのアクセスユニットに含まれているＡＶ情報の情報量（換言すれば、そのアクセスユニットに相当するＩピクチャの情報量）を示す情報であるアクセスユニット情報量情報ＡＣＵＳＺと、が含まれている。
【００９０】
ここで、アクセスユニットタイムスタンプＡＣＵＴＳについては、ＡＶ情報に含まれて配信されてくる表示制御時刻情報を用いてそれが記述されている場合は上記アクセスユニット取扱情報ＡＣＵＭの値が「０」とされるのであり、一方、対応するアクセスユニットの先頭を含んで配信されたパケットの到着（受信）時刻を用いてそれが記述されている場合は上記アクセスユニット取扱情報ＡＣＵＭの値として「１」が記述されるのである。
【００９１】
また、上記アクセスユニット位置情報ＡＣＵＰＳには、対応するアクセスユニットの通し番号であるアクセスユニット番号ＡＣＵＮと、そのアクセスユニットに含まれている記録パケットＲＰの番号である記録パケット番号ＲＰＮと、そのアクセスユニットが記録されているハードディスク１上の位置を示すアドレス情報である記録位置情報ＯＦＳＴと、が含まれている。このとき、当該記録パケット番号ＲＰＮとしては、一のアクセスユニット内における記録パケットＲＰの通し番号として記述されているのであり、記録位置情報ＯＦＳＴとしては、ハードディスク１の先頭の位置からの通しアドレス情報が記述されている。
【００９２】
以上説明したような論理的な記録フォーマットが採用されていることにより、後述する実施形態に係る記録・編集処理が可能となるのである。
【００９３】
（II）情報記録装置の実施形態
次に、上述してきた記録フォーマットを前提としたＡＶ情報の記録・編集処理を行う情報記録装置の構成及び動作について説明する。
【００９４】
先ず、図９を用いて当該情報記録装置の全体構成及び概要動作について説明する。
【００９５】
図９に示すように、実施形態に係る情報記録装置Ｓは、外部にある表示手段としてのテレビジョン装置ＴＶに直接接続されていると共に、インターネット等のネットワークＩＴを介して外部の映像サーバーＳＶと接続されている。
【００９６】
そして、上述した記録フォーマットによりＡＶ情報が記録されるハードディスク１と、デジタル放送受信回路２と、デマルチプレクサ３と、ビデオデコーダ４と、オーディオデコーダ５と、データデコーダ６と、モデム７と、生成手段及び記録手段としてのコントローラ８と、アナログＡＶ受信回路９と、ビデオエンコーダ１０と、オーディオエンコーダ１１と、マルチプレクサ１２と、表示手段としての表示部１３と、選択手段としての操作部１４と、固体記録媒体の一種であるメモリカード１５と、デジタルインターフェース１６と、ＯＳＤ部２０と、加算部２１と、により構成されている。
【００９７】
次に、概要動作を説明する。
【００９８】
先ず、映像サーバーＳＶは、それに蓄積しているＡＶ情報を上記トランスポートストリームの形式に則って生成し、これをネットワークＩＴを介して情報記録装置Ｓ内のコントローラ８へ配信する。
【００９９】
一方、現在一般化しているアナログ形式の地上波放送は、図示しないアンテナを介してアナログＡＶ受信回路により受信され、更に当該受信した放送から画像情報と音声情報とが分離され、当該画像情報はビデオエンコーダ１０に、当該音声情報はオーディオエンコーダ１１に夫々出力される。
【０１００】
そして、ビデオエンコーダ１０は当該画像情報をデジタル的に符号化してマルチプレクサ１２へ出力する。
【０１０１】
これと並行して、オーディオエンコーダ１１は当該音声情報をデジタル的に符号化してマルチプレクサ１２へ出力する。
【０１０２】
これらにより、マルチプレクサ１２は、当該デジタル化された画像情報及び音声情報を相互に重畳し、コントローラ８へ出力する。
【０１０３】
また、例えば高速なシリアルネットワークを介して配信されてくるＡＶ情報等は、デジタルインターフェース１６により受信され、コントローラ８へ出力される。
【０１０４】
更に、例えば上述したＢＳデジタル放送等は、図示しないアンテナにより受信された後、コントローラ８の制御の元で動作するモデム７において復調され、デジタル放送受信回路２を介してデマルチプレクサ３へ出力される。
【０１０５】
そして、当該デマルチプレクサ３は、コントローラ８からの制御の下、当該入力されてきたＢＳデジタル放送に含まれていたＡＶ情報から、画像情報と音声情報とデータ情報（当該データ情報とは、例えば、コンピュータ用のプログラム情報等が該当する）とを分離し、夫々、ビデオデコーダ４、オーディオデコーダ５及びデータデコーダ６へ出力され、コントローラ８の制御の下、夫々別個に復調される。このとき、データデコーダ６における復号の結果として生成されるデータ情報は、必要に応じて画像情報又は音声情報に重畳された後に夫々の復調処理に供される。
【０１０６】
その後、復号された画像情報及び音声情報は、そのまま外部のテレビジョン装置ＴＶに対して視聴用に出力される。
【０１０７】
このとき、コントローラ８は上述した一連の処理を統括制御すると共に、その統括制御に当たって必要な指示等は操作部１４において使用者により為され、更に当該指示等に対応する操作信号が操作部１４からコントローラ８に入力されることで当該コントローラ８がその指示内容等を認識し、必要な処理を行う。また、当該統括制御中における動作状態等は、ＯＳＤ部２０により対応する表示信号が生成され、当該生成された表示信号が加算部２１により必要に応じて上述したビデオデコータ４の出力と加算され、テレビジョン装置ＴＶ上に表示される。
【０１０８】
これらに加えて、ハードディスク１内に蓄積すべきＡＶ情報は、ビデオデコーダ４又はオーディオデコーダ５等により復調され、コントローラ８へ出力される。そして、コントローラ８は、当該復調された画像情報等を、上述してきた記録フォーマットに則るように構成し直し、ハードディスク１上に記録する。
【０１０９】
更に、当該ハードディスク１に記録されているＡＶ情報を編集する際には、一旦ハードディスク１から当該ＡＶ情報が読み出され、操作部１４における操作に基づいて必要な編集作業が実行される。
【０１１０】
他方、メモリカード１５は、上述したサムネイル画像として用いる画像情報を蓄積し、コントローラ８はこのサムネイル画像をハードディスク１に複写して上記使用者定義サムネイル画像として活用させる。
【０１１１】
なお、デジタルインターフェース１６や図示しないフレキシブルディスクドライブ装置等を経由してサムネイル画像をハードディスク１に複写して使用者定義サムネイル画像として用いるように構成することもできる。
【０１１２】
次に、本実施形態の動作、特に上記プログラム素材情報ＰＥＳＩの生成及び活用にかかる部分についてより詳細に説明する。
【０１１３】
なお、以下に説明する実施形態は、ＢＳデジタル放送により後述する種々の記述子（具体的には、例えば、映像コンポーネント記述子、音声コンポーネント記述子及びコンポーネントグループ記述子等、公知の記述子がある）と共にＡＶ情報が放送されており、これを受信してハードディスク１に記録する場合の実施形態である。
【０１１４】
（Ａ）記録処理の実施形態
初めに、当該プログラム素材情報ＰＥＳＩの生成処理について、図１０を用いて説明する。
【０１１５】
図１０に示すように、実施形態に係る記録処理においては、その前提として、放送を受信すべく選択されたＢＳデジタル放送におけるサービスＩＤ（Identification）情報に基づいて、そのサービスＩＤ情報に対応してＢＳデジタル放送に含まれているプログラム管理テーブル（Program  Management  Table）と、当該サービスＩＤ情報に対応するイベント情報テーブル（Event  Information  Table）と、が選択されており、これらがコントローラ８に入力されているとする。
【０１１６】
この前提において、ＡＶ情報の記録処理が開始されると、先ず、選択されたプログラム管理テーブル内に複数種類の素材が存在しているか否かが確認され（ステップＳ１）、存在していないときは（ステップＳ１；ＮＯ）、そのプログラム管理テーブルに基づいて、受信しようとしている放送における素材を識別するための素材パケット識別情報ＣＰＤを取得し、上記したプログラム素材情報ＰＥＳＩを生成する(ステップＳ５)。
【０１１７】
一方、ステップＳ１の判定において、選択されたプログラム管理テーブル内に複数種類の素材が存在しているときは（ステップＳ１；ＹＥＳ）、次に、選択されたイベント情報テーブル内に上記コンポーネントグループ記述子が含まれているか否かを確認する（ステップＳ２）。
【０１１８】
そして、コンポーネントグループ記述子が含まれているときは（ステップＳ２；ＹＥＳ）、上記コンポーネント記述子及びオーディオコンポーネント記述子等に基づいて上記素材パケット識別情報ＣＰＤ及び各素材同士の関係を示すコンポーネントタグ等を生成・設定し、更に当該コンポーネントグループ記述子に基づいて相互に相関性を有する素材同士の組に関する情報を取得し、上記したプログラム素材情報ＰＥＳＩを生成する(ステップＳ３)。
【０１１９】
次に、ステップＳ２の判定において、コンポーネントグループ記述子が含まれていないときは（ステップＳ２；ＮＯ）、上記コンポーネント記述子及びオーディオコンポーネント記述子等に基づいて上記素材パケット識別情報及び各素材同士の関係を示すコンポーネントタグ等を生成・設定し、更に相互に相関性を有する素材同士の組に関する情報を取得し、上記したプログラム素材情報ＰＥＳＩを生成する（ステップＳ４）。
【０１２０】
一方、上述したプログラム素材情報ＰＥＳＩの生成処理と並行して、受信した放送が順次ハードディスク１上に記録されており、記録停止指示を受けると、上述したフローチャートにより生成されたプログラム素材情報ＰＥＳＩを含む管理情報がハードディスク１上に記録され、記録処理が終了する。
【０１２１】
（Ｂ）再生処理の実施形態
次に、上述した記録処理によりプログラム素材情報ＰＥＳＩと共に記録されたＡＶ情報を再生する再生処理について、図１１及び図１２を用いて説明する。
【０１２２】
なお、図１１は当該再生処理に先立って表示されるプログラム情報を表示するためのフローチャートであり、図１２は当該表示処理におけるテレビジョン装置ＴＶ又は表示部１３における表示例である。
【０１２３】
図１１に示すように、実施形態に係る再生処理においては、その前提として、再生を所望するプログラムがその番号により予め選択されているものとする。
【０１２４】
この前提において、再生処理が開始されると、初めに、選択されたプログラムに対応するプログラム情報ＰＩＦが参照され、その中に含まれているポインタ数情報ＳＰＮに基づいて素材群の数を取得する（ステップＳ１０）。
【０１２５】
次に、取得した数の素材群全ての内容を確認し終えたか否かが確認され（ステップＳ１１）、終了したときは、プログラムに関する情報の表示画面を構成して表示する（ステップＳ１２）。
【０１２６】
このとき、当該表示画面としては、例えば図１２に示すように、素材群毎にその内容がテレビジョン装置ＴＶ上又は表示部１３上に表示される。
【０１２７】
一方、ステップＳ１１の判定において、全ての素材群の確認が完了されていないときは（ステップＳ１１；ＮＯ）、次に、対応する素材群情報ＣＧＩＦを検索し、その中に含まれる素材数情報ＮＥＳに基づいてそれに含まれている素材の数を取得する（ステップＳ１３）。
【０１２８】
次に、取得した数の素材全ての内容を確認し終えたか否かが確認され（ステップＳ１４）、終了したときは（ステップＳ１４；ＹＥＳ）、そのまま上記ステップＳ１０に戻って次の素材群について同じ処理を繰り返す。
【０１２９】
一方、ステップＳ１４の処理において、取得した数の素材全ての内容を確認し終えていないときは（ステップＳ１４；ＮＯ）、未完了の素材についての素材情報ＥＳＩを選択して図示しないメモリに格納し（ステップＳ１５）、再びステップＳ１４に戻って上記した処理を繰り返す。
【０１３０】
次に、上述して来た処理が終了すると、ハードディスク１上に記録されているＡＶ情報が順次再生される。
【０１３１】
以上説明したように、実施形態の情報記録装置Ｓの動作によれば、ＡＶ情報とは別個に素材パケット識別情報ＣＰＤ、種類記述情報ＣＭＤ及び素材群情報ＣＧＩＦを記録するので、当該ＡＶ情報の再生に当たり、当該ＡＶ情報そのものを再生することなくそれに含まれている素材の組み合わせ等を認識することができる。
【０１３２】
また、ＢＳデジタル放送により放送されるＡＶ情報に含まれている記述子に基づいて素材パケット識別情報ＣＰＤ、種類記述情報ＣＭＤ及び素材群情報ＣＧＩＦを生成するので、簡易且つ正確に各情報を生成することができる。
【０１３３】
なお、本発明は、上記の実施形態に限定されるものではなく、種々の変更が可能である。
【０１３４】
先ず、上記実施形態では通常のアナログ地上ＴＶ放送の電波又はＢＳデジタル放送等のデジタル衛星放送等の電波を受信して映像信号等を取得したが、これ以外に、例えば、インターネットや専用回線を介したサーバＶＯＤ（Video  On  demand）から映像信号等を取得するように構成することもできる。
【０１３５】
また、上記実施形態では、記録媒体としてハードディスク１を用いた場合について説明したが、これ以外に、情報の書き換えが可能なＤＶＤやフラッシュメモリ等の各種の記録媒体を用いることができる。
【０１３６】
更には、図１０及び図１１に示すフローチャートに対応するプログラムを、フレキシブルディスク又はハードディスク等の情報記録媒体に記録させておき、或いは、当該プログラムをインターネット等のネットワークを介して取得して記録しておき、これらを汎用のマイクロコンピュータ等により読み出して実行することにより、当該マイクロコンピュータを実施形態に係るコントローラ８として機能させることが可能である。
【０１３７】
【発明の効果】
以上説明したように、請求項１に記載の発明によれば、放送情報とは別個に素材群情報を記録するので、当該放送情報の再生に当たり、当該放送情報そのものを再生することなくそれに含まれている素材の組み合わせ等を認識することができる。
【０１３８】
請求項２に記載の発明によれば、請求項１に記載の発明の効果に加えて、ＢＳデジタル放送により放送される放送情報に含まれている記述子に基づいて素材群情報を生成するので、簡易且つ正確に各情報を生成することができる。
【０１３９】
請求項３に記載の発明によれば、放送情報とは別個に素材群情報が記録されており、放送情報そのものの再生に先立って素材群情報の内容が表示されるので、当該放送情報そのものを再生することなくそれに含まれている素材の組み合わせ等を認識することができる。
【０１４０】
請求項４に記載の発明によれば、放送情報とは別個に素材群情報を記録するので、当該放送情報の再生に当たり、当該放送情報そのものを再生することなくそれに含まれている素材の組み合わせ等を認識することができる。
【０１４１】
請求項５に記載の発明によれば、請求項４に記載の発明の効果に加えて、ＢＳデジタル放送により放送される放送情報に含まれている記述子に基づいて素材群情報を生成するので、簡易且つ正確に各情報を生成することができる。
【０１４２】
請求項６に記載の発明によれば、放送情報とは別個に素材群情報が記録されており、放送情報そのものの再生に先立って素材群情報の内容が表示されるので、当該放送情報そのものを再生することなくそれに含まれている素材の組み合わせ等を認識することができる。
【０１４３】
請求項７に記載の発明によれば、放送情報とは別個に素材群情報を記録するように記録コンピュータが機能するので、当該放送情報の再生に当たり、当該放送情報そのものを再生することなくそれに含まれている素材の組み合わせ等を認識することができる。
【０１４４】
請求項８に記載の発明によれば、請求項７に記載の発明の効果に加えて、ＢＳデジタル放送により放送される放送情報に含まれている記述子に基づいて素材群情報を生成するように記録コンピュータが機能するので、簡易且つ正確に各情報を生成することができる。
【０１４５】
請求項９に記載の発明によれば、放送情報とは別個に素材群情報が記録されており、放送情報そのものの再生に先立って素材群情報の内容が表示されるように再生コンピュータが機能するので、当該放送情報そのものを再生することなくそれに含まれている素材の組み合わせ等を認識することができる。
【０１４６】
請求項１０に記載の発明によれば、請求項７に記載の情報記録用プログラムが記録されている場合には、これを記録コンピュータで読み出して実行することにより、放送情報とは別個に素材群情報を記録するように当該記録コンピュータが機能するので、当該放送情報の再生に当たり、当該放送情報そのものを再生することなくそれに含まれている素材の組み合わせ等を認識することができる。
【０１４７】
また、請求項８に記載の情報記録用プログラムが記録されている場合には、これを記録コンピュータで読み出して実行することにより、ＢＳデジタル放送により放送される放送情報に含まれている記述子に基づいて素材群情報を生成するように当該記録コンピュータが機能するので、簡易且つ正確に各情報を生成することができる。
【０１４８】
請求項１１に記載の発明によれば、請求項９に記載の情報再生用プログラムを再生コンピュータで読み出して実行することにより、放送情報とは別個に素材群情報が記録されており、放送情報そのものの再生に先立って素材群情報の内容が表示されるように当該再生コンピュータが機能するので、当該放送情報そのものを再生することなくそれに含まれている素材の組み合わせ等を認識することができる。
【図面の簡単な説明】
【図１】実施形態の記録フォーマットを説明する図（Ｉ）である。
【図２】実施形態の記録フォーマットを説明する図（II）である。
【図３】実施形態の記録フォーマットを説明する図（III）である。
【図４】実施形態の記録フォーマットを説明する図（IV）である。
【図５】実施形態の記録フォーマットを説明する図（Ｖ）である。
【図６】実施形態の記録フォーマットを説明する図（VI）である。
【図７】実施形態の記録フォーマットを説明する図（VII）である。
【図８】実施形態の記録フォーマットを説明する図（VIII）である。
【図９】実施形態の情報記録装置の概要構成を示すブロック図である。
【図１０】実施形態の記録処理を示すフローチャートである。
【図１１】実施形態の再生処理を示すフローチャートである。
【図１２】実施形態の再生処理における表示例を示す図である。
【符号の説明】
１…ハードディスク
２…デジタル放送受信回路
３…デマルチプレクサ
４…ビデオデコーダ
５…オーディオデコーダ
６…データデコーダ
７…モデム
８…コントローラ
９…アナログＡＶ受信回路
１０…ビデオエンコーダ
１１…オーディオエンコーダ
１２…マルチプレクサ
１３…表示部
１４…操作部
１５…メモリカード
１６…デジタルインターフェース
Ｓ…情報記録装置
ＴＶ…テレビジョン装置
ＩＴ…ネットワーク
ＳＶ…映像サーバー
ＭＩ…マネージメント情報
ＤＰＳＩ…初期プログラムセット情報
ＤＦＴＮ…ベンダ定義サムネイル画像情報
ＵＤＰＭ…使用者定義プログラムセット管理情報
ＵＤＴＮ…使用者定義サムネイル画像情報
ＰＩＦ…プログラム情報
ＡＶＤ…ＡＶストリーム情報
ＡＣＵＲ…アクセスユニット参照情報
ＣＩＦ…ライセンス管理情報
ＩＤＸ…ベンダ定義インデックス
ＴＭＮ…予備サムネイル画像情報
ＵＤＩＦ１、ＵＤＩＦｎ…使用者定義プログラムセット情報
ＭＩＤ…ハードディスク識別情報
ＶＲＮ…バージョン情報
ＣＨＳ…文字種類情報
ＲＥＰ、ＤＰＰ、ＵＭＰ、ＤＰＳＴ、ＴＰＰ、ＤＴＰ、ＤＰＬＴ、ＰＰＴ、ＰＴＰ、ＵＤＰＴ１、ＵＤＰＴｎ、ＩＴＰ、ＡＣＩＰ１、ＡＣＩＰｎ、ＡＤＰ…名称情報
ＲＳＭ…最終アクセスプログラムセット番号
ＤＰＩ…初期プログラムセット一般情報
ＤＰＬ１、ＤＰＬｎ…ベンダ定義プログラムリスト情報
ＤＥＴＣ、ＤＰＴＣ、ＰＦＴＣ…他情報
ＰＲＴ…初期プログラムセット代表画像情報
ＤＴＴ、ＥＴＦＴ、ＰＴＴ、ＡＴＢ、ＩＴＴ、ＡＣＵＴ…属性情報
ＲＳＶ…予備情報
ＤＴＰＳ…初期プログラムセット代表画像記録位置情報
ＤＴＳＺ、ＤＬＴ…初期プログラムセット代表画像情報量情報
ＤＦＴ、ＰＦＴ、ＩＦＴ…オフセット位置情報
ＤＴＨ、ＰＴＨ、ＩＴＨ…水平情報量情報
ＤＴＶ、ＰＴＶ、ＩＴＶ…垂直情報量情報
ＲＥＬ…許可情報
ＶＬＤ…サムネイル画像指定子有効フラグ
ＰＰＲＴ…ベンダ定義プログラムリスト代表画像情報
ＳＴＰ…開始位置情報
ＥＴＰ…終了位置情報
ＰＴＰＳ…ベンダ定義プログラムリスト代表画像記録位置情報
ＰＴＳＺ、ＰＬＴ…ベンダ定義プログラムリスト代表画像情報量情報
ＵＤＰＳＩ…使用者定義プログラムセット一般情報
ＵＰＩ…使用者定義プログラムセット一般情報
ＵＰＬ１、ＵＰＬｎ…使用者定義プログラムリスト情報
ＰＩ…プログラム一般情報
ＣＩ…プログラムライセンス情報
ＩＩ…インデックス情報
ＡＣＵＩ…アクセスユニット情報
ＡＬＵＩ…アロケーションユニット情報
ＰＳＴ…プログラムソース情報
ＰＥＳＩ…プログラム素材情報
ＰＲＳ…プログラム記録状態情報
ＰＧＳＩ…プログラム素材一般情報
ＥＳＩ…素材情報
ＣＧＳＰ１、ＣＧＳＰｎ…素材群サーチポインタ
ＣＧＩＦ１、ＣＧＩＦｎ…素材群情報
ＰＤ…パディングデータ
ＳＰＮ…ポインタ数情報
ＣＧＳＡ…群情報スタートアドレス情報
ＮＥＳ…素材数情報
ＣＧＧＩ…素材群一般情報
ＣＴＹ…種類情報
ＰＩＤ…パケット識別情報
ＣＰＤ…素材パケット識別情報
ＣＭＤ…種類記述情報
ＩＧＩ…インデックス一般情報
ＩＥ１，ＩＥｎ…インデックスエントリー情報
ＮＩ…インデックス数情報
ＩＤＣ…インデックス記述情報
ＩＰＲＴ…インデックス代表画像情報
ＩＳＰ…インデックス開始位置情報
ＩＥＰ…インデックス終了位置情報
ＩＴＰＳ…インデックス代表画像記録位置情報
ＩＴＳＺ，ＩＬＴ…インデックス代表画像情報量情報
ＩＦＴ…オフセット位置情報
ＡＣＵＨ…アクセスユニットヘッダ
ＡＶＬＤ…アクセスユニット有効フラグ
ＮＡＣＵ…ユニット数情報
ＡＣＵＭ…アクセスユニット取扱情報
ＡＬＧＩ…アロケーションユニット一般情報
ＡＬＥ１、ＡＬＥｎ…アロケーションユニットエントリー情報
ＡＬＳＺ…アロケーションユニット情報量情報
ＮＡＬＵ…ユニット数情報
ＳＡＴＳ…スタートタイムスタンプ情報
ＥＡＴＳ…エンドタイムスタンプ情報
ＡＬＵ…アロケーションユニット
ＡＵ…アラインドユニット
ＡＳＵ…アラインドサブユニット
ＲＰ…記録パケット
ＰＫＴ…パケット
ＲＰＨ…記録パケットヘッダ
ＣＦ…フラグ
ＡＴＳ１、ＡＴＳ２…受信時刻情報
ＡＣＵＧＩ…アクセスユニット一般情報
ＡＣＵＥ１、ＡＣＵＥｎ…アクセスユニットエントリー情報
ＮＡＣＵ…アクセスユニット数情報
ＡＣＵＴＳ…アクセスユニットタイムスタンプ
ＡＣＵＰＳ…アクセスユニット位置情報
ＡＣＵＳＺ…アクセスユニット情報量情報
ＡＣＵＮ…アクセスユニット番号
ＲＰＮ…記録パケット番号
ＯＦＳＴ…記録位置情報
【図１】
0004320159.tif 000002
【図２】
0004320159.tif 000003
【図３】
0004320159.tif 000004
【図４】
0004320159.tif 000005
【図５】
0004320159.tif 000006
【図６】
0004320159.tif 000007
【図７】
0004320159.tif 000008
【図８】
0004320159.tif 000009
【図９】
0004320159.tif 000010
【図１０】
0004320159.tif 000011
【図１１】
0004320159.tif 000012
【図１２】
0004320159.tif 000013